【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
基板、記録層および場合により反射層を含む光学的記録媒体であって、記録層が、式：
【化１】
2007500610.tif 000001
［式中、
Ｍは、水素、アルミニウムまたは、好ましくは、遷移金属であり、そしてＭは、更に、１つ以上の更なる配位子に配位していてもよく、かつ／あるいは、過剰の電荷の釣り合いをとるために、適切な場合は配位圏の内部または外部の１つ以上の更なるイオンとの静電相互作用を有していてもよいが、式（Iｂ）および（Iｃ）中のＭは、水素ではなく、
Ｑは、Ｃ−Ｈ、ＮまたはＣ−Ｒ６であり、Ｃ＝Ｑの２重結合の立体化学ではＥまたはＺのいずれかであることが可能であり、
Ｒ１は、水素、ＯＲ７、ＳＲ７、ＮＨＲ７、ＮＲ７Ｒ８、Ｃ１〜Ｃ１２アルキル、Ｃ２〜Ｃ１２アルケニル、Ｃ２〜Ｃ１２アルキニル、Ｃ３〜Ｃ１２シクロアルキル、Ｃ３〜Ｃ１２シクロアルケニル、Ｃ７〜Ｃ１２アラルキル、Ｃ２〜Ｃ１１ヘテロアラルキル、Ｃ６〜Ｃ１０アリールまたはＣ１〜Ｃ９ヘテリアリールであり、
Ｒ２およびＲ３は、それぞれ互いに独立して、Ｃ１〜Ｃ１２アルキル、Ｃ２〜Ｃ１２アルケニル、Ｃ２〜Ｃ１２アルキニル、Ｃ３〜Ｃ１２シクロアルキル、Ｃ３〜Ｃ１２シクロアルケニル、Ｃ７〜Ｃ１２アラルキル、Ｃ２〜Ｃ１１ヘテロアラルキル、Ｃ６〜Ｃ１０アリールまたはＣ１〜Ｃ９ヘテリアリールであり、
Ｒ４は、シアノ、ＣＯＲ９、ＣＯＯＲ７、ＣＯＮＨ２、ＣＯＮＨＲ７、ＣＯＮＲ７Ｒ８、Ｃ２〜Ｃ１２アルカ−１−エニル、Ｃ３〜Ｃ１２シクロアルカ−１−エニル、Ｃ２〜Ｃ１２アルカ−１−イニル、Ｃ２〜Ｃ５ヘテロシクロアルキル、Ｃ３〜Ｃ５ヘテロシクロアルケニル、Ｃ６〜Ｃ１０アリールまたはＣ１〜Ｃ９ヘテロアリールであり、
Ｒ５は、シアノ、ＣＯＲ７、ＣＯＯＲ７、ＣＯＮＨ２、ＣＯＮＨＲ７、ＣＯＮＲ７Ｒ８、ＮＨＲ９、ＮＲ８Ｒ９、Ｃ１〜Ｃ１２アルキル、Ｃ２〜Ｃ１２アルケニル、Ｃ２〜Ｃ１２アルキニル、Ｃ３〜Ｃ１２シクロアルキル、Ｃ３〜Ｃ１２シクロアルケニル、Ｃ７〜Ｃ１２アラルキル、Ｃ２〜Ｃ１１ヘテロアラルキル、Ｃ６〜Ｃ１０アリールまたはＣ１〜Ｃ９ヘテロアリールであり、
Ｒ６、Ｒ７およびＲ８は、それぞれ互いに独立して、Ｃ１〜Ｃ１２アルキル、Ｃ２〜Ｃ１２アルケニル、Ｃ２〜Ｃ１２アルキニル、Ｃ３〜Ｃ１２シクロアルキル、Ｃ３〜Ｃ１２シクロアルケニル、Ｃ７〜Ｃ１２アラルキル、Ｃ２〜Ｃ１１ヘテロアラルキル、Ｃ６〜Ｃ１０アリールまたはＣ１〜Ｃ９ヘテロアリールであり、
Ｒ１とＲ２、Ｒ１とＲ６、Ｒ２とＲ３、Ｒ２とＲ７、Ｒ３とＲ６、Ｒ４とＲ５、Ｒ４とＲ６、Ｒ４とＲ７、および／またはＲ７とＲ８は、２つずつが組みになって、互いに結合して、１、２、３あるいは４個の炭素環式環またはＮ−、Ｏ−および／もしくはＳ−ヘテロ環式環を形成することが可能であり、そのような環はいずれも、互いに独立して、適切な場合は芳香族もしくはヘテロ芳香族環に縮環することが可能であり、そして／またはＮ−、Ｏ−および／もしくはＳ−ヘテロ環式環の複数が互いに縮環することが可能であり、そして
Ｎ−ヘテロ環式環中のいずれのＮも、非置換であるか、またはＲ９により置換されていることが可能であり；アルキル、アルケニル、アルキニル（それぞれの場合、適切な場合は非芳香族環の部分として）、シクロアルキルまたはシクロアルケニル基のいずれもが、そして該当する場合、アルキル、アルケニル、アルキニル、シクロアルキルおよび／またはシクロアルケニル基の複数が、互いに独立して、非置換であるか、またはＲ１０によりモノ−もしくはポリ置換されていることが可能であり；そしてアリール、ヘテロアリールまたはアラルキル基のいずれもが、あるいは該当する場合、アリール、ヘテロアリールおよび／またはアラルキル基の複数が、互いに独立して、非置換であるか、またはＲ１１によりモノ−もしくはポリ置換されていることが可能であり、
Ｒ９は、Ｈ、Ｒ７、ＣＯＲ７、ＣＯＯＲ７、ＣＯＮＨ２、ＣＯＮＨＲ７またはＣＯＮＲ７Ｒ８であり、
Ｒ１０は、ハロゲン、ＯＨ、ＮＨ２、ＮＨＲ１２、ＮＲ１２Ｒ１３、ＮＨＮＨ２、ＮＨＮＨＲ１２、ＮＨＮＲ１２Ｒ１３、ＮＲ１４ＮＨ２、ＮＲ１４ＮＨＲ１２、ＮＲ１４ＮＲ１２Ｒ１３、ＮＨＯＨ、ＮＨＯＲ１２、ＮＲ１４ＯＨ、ＮＲ１４ＯＲ１２、Ｏ−Ｒ１２、Ｏ−ＣＯ−Ｒ１２、Ｓ−Ｒ１２、ＣＯ−Ｒ１２、オキソ、チオノ、＝Ｎ−Ｒ１２、＝Ｎ−ＯＨ、＝Ｎ−Ｏ・、＝Ｎ−ＯＲ１２、＝Ｎ−ＮＨ２、＝Ｎ−ＮＨＲ１２、＝Ｎ−ＮＲ１２Ｒ１３、ＣＮ、ＣＯＯＨ、ＣＯＮＨ２、ＣＯＯＲ１２、ＣＯＮＨＲ１２、ＣＯＮＲ１２Ｒ１３、ＳＯ２ＮＨ２、ＳＯ２ＮＨＲ１２、ＳＯ２ＮＲ１２Ｒ１３、ＳＯ２Ｒ１２、ＳＯ３Ｒ１２またはＰＯ（ＯＲ１２）（ＯＲ１３）であり、
Ｒ１１は、ハロゲン、ＮＯ２、ＣＮ、ＮＨ２、ＳＨ、ＯＨ、ＣＨＯ、Ｒ１５、ＯＲ１５、ＳＲ１５、Ｃ（Ｒ１６）＝ＣＲ１７Ｒ１８、Ｏ−ＣＯ−Ｒ１９、ＮＨＲ１９、ＮＲ１９Ｒ２０、ＣＯＮＨ２、ＣＯＮＨＲ１９、ＣＯＮＲ１９Ｒ２０、ＳＯ２ＮＨ２、ＳＯ２ＮＨＲ１９、ＳＯ２ＮＲ１９Ｒ２０、ＳＯ２Ｒ１９、ＣＯＯＨ、ＣＯＯＲ１９、ＯＣＯＯＲ１９、ＮＨＣＯＲ１９、ＮＲ１９ＣＯＲ２１、ＮＨＣＯＯＲ１９、ＮＲ１９ＣＯＯＲ２１、Ｐ（＝Ｏ）ＯＲ１９ＯＲ２１、Ｐ（＝Ｏ）Ｒ１９ＯＲ２１、Ｐ（＝Ｏ）Ｒ１９Ｒ２１であり、あるいはＣ１〜Ｃ１２アルキル、Ｃ３〜Ｃ１２シクロアルキル、Ｃ２〜Ｃ１２アルケニル、Ｃ３〜Ｃ１２シクロアルケニル、Ｃ１〜Ｃ１２アルキルチオ、Ｃ３〜Ｃ１２シクロアルキルチオ、Ｃ２〜Ｃ１２アルケニルチオ、Ｃ３〜Ｃ１２シクロアルケニルチオ、Ｃ１〜Ｃ１２アルコキシ、Ｃ３〜Ｃ１２シクロアルコキシ、Ｃ２〜Ｃ１２アルケニルオキシまたはＣ３〜Ｃ１２シクロアルケニルオキシであって、それぞれ、非置換であるか、または１つ以上（適切な場合は同一または異なる）のＲ１０基により置換されており、
Ｒ１２、Ｒ１３およびＲ１４は、それぞれ互いに独立して、Ｃ１〜Ｃ１２アルキル、Ｃ３〜Ｃ１２シクロアルキル、Ｃ２〜Ｃ１２アルケニル、Ｃ３〜Ｃ１２シクロアルケニル、Ｃ６〜Ｃ１４アリール、Ｃ１〜Ｃ１２ヘテロアリール、Ｃ７〜Ｃ１８アラルキルまたはＣ２〜Ｃ１６ヘテロアラルキルであり、あるいは
Ｒ１２とＲ１３とは、共通のＮと一緒になって、ピロリジン、ピペリジン、ピペラジンまたはモルホリンであり、それぞれ、非置換であるか、またはＣ１〜Ｃ４アルキルによりモノ−ないしテトラ置換されており、
Ｒ１５は、Ｃ６〜Ｃ１４アリール、Ｃ１〜Ｃ１２ヘテロアリール、Ｃ７〜Ｃ１８アラルキルまたはＣ２〜Ｃ１６ヘテロアラルキルであって、それぞれ、非置換であるか、または１つ以上（適切な場合は同一または異なる）のＲ２２基により置換されており、
Ｒ１６は、水素、シアノ、ハロゲン、ニトロであるか、あるいはＣ１〜Ｃ１２アルキル、Ｃ３〜Ｃ１２シクロアルキル、Ｃ２〜Ｃ１２アルケニルまたはＣ３〜Ｃ１２シクロアルケニルであって、それぞれ、非置換であるか、または１つ以上（適切な場合は同一または異なる）のハロゲン、ヒドロキシ、Ｃ１〜Ｃ１２アルコキシもしくはＣ３〜Ｃ１２シクロアルコキシ基により置換されており、あるいはＣ６〜Ｃ１４アリール、Ｃ１〜Ｃ１２ヘテロアリール、Ｃ７〜Ｃ１８アラルキルまたはＣ２〜Ｃ１６ヘテロアラルキルであって、それぞれ、非置換であるか、または１つ以上（適切な場合は同一または異なる）のＲ１０および／もしくはニトロ基により置換されており、
Ｒ１７およびＲ１８は、それぞれ互いに独立して、ＮＲ１９Ｒ２０、ＣＮ、ＣＯＮＨ２、ＣＯＮＨＲ１９、ＣＯＮＲ１９Ｒ２０またはＣＯＯＲ２０であり、
Ｒ１９、Ｒ２０およびＲ２１は、それぞれ互いに独立して、Ｒ１５であるか、あるいはＣ１〜Ｃ１２アルキル、Ｃ３〜Ｃ１２シクロアルキル、Ｃ２〜Ｃ１２アルケニルまたはＣ３〜Ｃ１２シクロアルケニルであって、それぞれ、非置換であるか、または１つ以上（適切な場合は同一または異なる）のハロゲン、ヒドロキシ、Ｃ１〜Ｃ１２アルコキシもしくはＣ３〜Ｃ１２シクロアルコキシ基により置換されており；あるいは
Ｒ１９とＲ２０とは、共通のＮと一緒になって、ピロリジン、ピペリジン、ピペラジンまたはモリホリンであり、それぞれ、置換されているか、またはＣ１〜Ｃ４アルキルによりモノ−ないしテトラ置換されており、あるいはカルバゾール、フェノキサジンまたはフェノチアジンであって、それぞれ、非置換であるか、または１つ以上（適切な場合は同一または異なる）のＲ２２基により置換されており、そして
Ｒ２２は、ハロゲン、ＮＯ２、ＳＯ２ＮＨ２、ＳＯ２ＮＨＲ１２、ＳＯ２ＮＲ１２Ｒ１３であるか、あるいは、Ｃ１〜Ｃ１２アルキル、Ｃ３〜Ｃ１２シクロアルキル、Ｃ１〜Ｃ１２アルキルチオ、Ｃ３〜Ｃ１２シクロアルキルチオ、Ｃ１〜Ｃ１２アルコキシまたはＣ３〜Ｃ１２シクロアルコキシであって、それぞれ、非置換であるか、または１つ以上（適切な場合は同一または異なる）のＲ１０基により置換されており；ここで
Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９、Ｒ２０、Ｒ２１および／またはＲ２２が１回以上存在する場合、それらの各々は、他の全てから独立しており；かつ／あるいは
式（Iａ）、（Iｂ）または（Iｃ）で示される同一または異なる部分２つが、所望なら、共通の部分構造を有していてもよいか、または直接結合により一緒になっていてもよく；そして、そのような一緒になっている２つの部分中のＭが同一である場合、それは、１つの原子であることもできる］で示される化合物を含む光学的記録媒体。
【請求項２】
Ｍが、Ａｌ、Ａｕ、Ｂｉ、Ｃｄ、Ｃｅ、Ｃｏ、Ｃｕ、Ｃｒ、Ｈｆ、Ｉｎ、Ｉｒ、Ｍｎ、Ｍｏ、Ｎｂ、Ｎｉ、Ｆｅ、Ｏｓ、Ｐｂ、Ｐｄ、Ｐｔ、Ｒｅ、Ｒｈ、Ｒｕ、Ｓｉ、Ｓｎ、Ｔａ、Ｔｉ、Ｖ、Ｗ、ＺｎまたはＺｒ、好ましくはＣｏ、ＣｕまたはＮｉ、特にＣｏ（II）、Ｃｕ（II）またはＮｉ（II）である、請求項１記載の光学的記録媒体。
【請求項３】
Ｒ１とＲ６とが一緒になり、かつ／またはＲ４とＲ５とが一緒になって、炭素環式環またはヘテロ環式環を形成する場合、その環が、芳香族環でもなく、ピロンでもない、請求項１または請求項２のいずれか一項に記載の光学的記録媒体。
【請求項４】
Ｒ１とＲ６、かつ／あるいはＲ４とＲ５により形成され得る、炭素環式環またはヘテロ環式環が、環中に少なくとも１つの完全に飽和した炭素を有する、請求項３記載の光学的記録媒体。
【請求項５】
ＱがＣ−ＨまたはＮであり、Ｒ９がＲ７であり、ならびに／あるいは該当する場合、炭素環式またはＮ−、Ｏ−および／もしくはＳ−ヘテロ環式の非芳香族環が、３〜１２員、好ましくは５または６員を有する、請求項１、２、３または４のいずれか一項に記載の光学的記録媒体。
【請求項６】
Ｒ４とＲ５とが一緒になって５または６員環を形成する、請求項１、２、３、４または５のいずれか一項に記載の光学的記録媒体。
【請求項７】
基板、記録層および場合により反射層を含み、記録層が、式：
【化２】
2007500610.tif 000002
（式中、Ｍは、アルミニウムまたは遷移金属であり、Ｒ１’は、Ｒ１から独立して、Ｒ１について定義されたとおりであり、Ｒ２’は、Ｒ２から独立して、Ｒ２について定義されたとおりであり、Ｒ３’は、Ｒ３から独立して、Ｒ３について定義されたとおりであり、Ｒ４’は、Ｒ４から独立して、Ｒ４について定義されたとおりであり、Ｒ５’は、Ｒ５から独立して、Ｒ５について定義されたとおりであり、Ｒ１’とＲ１、Ｒ２’とＲ２、Ｒ３’とＲ３、Ｒ４’とＲ４およびＲ５’とＲ５とは、それぞれの場合において、同一または異なっていることが可能であり、適切な場合、基Ｒ１’、Ｒ２’、Ｒ３’、Ｒ４’またはＲ５’は、直接結合により基Ｒ１、Ｒ２、Ｒ３、Ｒ４またはＲ５に結合することが可能であり、そしてＱ、Ｒ１、Ｒ２、Ｒ３、Ｒ４およびＲ５は、請求項１に定義されたとおりである）で示される化合物、その立体異性体、オリゴマーまたは互変異性体を含む光学的記録媒体。
【請求項８】
記録層が、Ｍが水素である式（Iａ）の化合物と共に、Ｍがアルミニウムまたは遷移金属である、式（Iａ）、（Iｂ）または（Iｃ）の少なくとも２つの化合物、式（IIａ）、（IIｂ）または（IIｃ）の少なくとも２つの化合物、あるいは式（Iｂ）、（Iｃ）、（IIａ）、（IIｂ）または（IIｃ）の少なくとも１つの化合物を含む、請求項１、２、３、４、５、６または７のいずれか一項に記載の光学的記録媒体。
【請求項９】
請求項１、２、３、４、５、６、７または８のいずれか一項に記載の、光学的記録媒体のデータが３００〜５００nmの波長で記録または再生される、データの記録または再生方法。
【請求項１０】
Ｍが遷移金属であり、ただし、Ｒ１とＲ６とが一緒になり、かつ／またはＲ４とＲ５とが一緒になって、炭素環式環またはヘテロ環式環を形成し、その炭素環式環またはヘテロ環式環は、芳香族環でもなく、ピロンでもない、請求項１、２、３、４、５または６のいずれか一項に記載の式（Iａ）、（Iｂ）または（Iｃ）の化合物。
【請求項１１】
式：
【化３】
2007500610.tif 000003
（式中、Ｍは、アルミニウムまたは遷移金属であり、Ｒ１’は、Ｒ１から独立して、Ｒ１について定義されたとおりであり、Ｒ２’は、Ｒ２から独立して、Ｒ２について定義されたとおりであり、Ｒ３’は、Ｒ３から独立して、Ｒ３について定義されたとおりであり、Ｒ４’は、Ｒ４から独立して、Ｒ４について定義されたとおりであり、そしてＲ５’は、Ｒ５から独立して、Ｒ５について定義されたとおりであり、Ｒ１’とＲ１、Ｒ２’とＲ２、Ｒ３’とＲ３、Ｒ４’とＲ４およびＲ５’とＲ５とは、それぞれの場合において、同一または異なっていることが可能であり、適切な場合、基Ｒ１’、Ｒ２’、Ｒ３’、Ｒ４’またはＲ５’は、直接結合により基Ｒ１、Ｒ２、Ｒ３、Ｒ４またはＲ５に結合することが可能であり、そしてＱ、Ｒ１、Ｒ２、Ｒ３、Ｒ４およびＲ５は、請求項１に定義されたとおりである）で示されるキレートの立体異性体、オリゴマーまたは互変異性体。
【請求項１２】
（ａ）Ｍが水素である、請求項１、２、５または６のいずれか一項に記載の、式（Iａ）、（Iｂ）または（Iｃ）の化合物あるいは請求項７に記載の式（IIａ）の化合物を、親水性の、Ｏ−含有液体中で塩基を使用して脱プロトンを行うこと；
（ｂ）アルミニウムの非不活性塩または遷移金属Ｍを添加すること；
（ｃ）場合により、追加の配位子を１．０ｘ〜１．５ｘの化学量論量で添加すること；
（ｄ）場合により、Ｏ−含有液体と混和できる別の液体を添加して、式（IIａ）、（IIｂ）または（IIｃ）のキレートを沈殿させること；そして
（ｅ）式（IIａ）、（IIｂ）または（IIｃ）のキレートを単離すること
を含む、請求項１１記載の式（IIａ）、（IIｂ）または（IIｃ）のキレートを製造する方法。
【請求項１３】
光学的記録媒体の製造における、請求項１０に記載の式（Ia）、（Ib）または（Ic）の化合物あるいは請求項１１に記載の式（IIa）、（IIb）または（IIc）の化合物の使用。